Podtech/llm-jp-corpus-v4-ja_patent huggingface dataset:
【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
式
【化１】
2014515008.tif 000001
によって表される構造を有する化合物、またはその薬学的に許容される塩又は水和物であって、
（式中、Ａは、ＣＲ2またはＮであり、
Ｒ1は、Ｃ１−Ｃ３アルキル、Ｃ１−Ｃ３ハロアルキル、Ｃ１−Ｃ３ポリハロアルキル、およびＣ３シクロアルキルから選択され、
Ｒ2は、存在するとき、水素、ハロゲン、ＣＮ、Ｃ１−Ｃ３アルキル、Ｃ１−Ｃ３ハロアルキル、Ｃ１−Ｃ３ポリハロアルキル、およびＣ３シクロアルキルから選択され、
Ｒ3は、水素、ハロゲン、Ｃ１−Ｃ３アルキル、Ｃ１−Ｃ３ハロアルキル、Ｃ１−Ｃ３ポリハロアルキル、およびＣ３シクロアルキルから選択され、
Ｒ4、Ｒ5、およびＲ6のそれぞれは、独立して、水素、ハロゲン、ＣＮ、Ｃ１−Ｃ３アルキル、Ｃ１−Ｃ３ハロアルキル、Ｃ１−Ｃ３ポリハロアルキル、およびＣ３シクロアルキルから選択される。）
前記化合物は、グルタミン酸塩に対するｍＧｌｕＲ５応答の部分的または全面的阻害を、前記化合物の非存在下でのグルタミン酸塩に対する前記応答と比較して、前記化合物の存在下で、ラットｍＧｌｕＲ５をトランスフェクトしたヒト胎児由来腎臓細胞における非最大濃度のグルタミン酸塩に対する応答の減少として、示す、
前記化合物またはその薬学的に許容される塩又は水和物。
【請求項２】
Ａは、ＣＲ2である、請求項１に記載の化合物。
【請求項３】
Ｒ2は、水素、ＣＮ、ハロゲン、およびメチルから選択される、請求項２に記載の化合物。
【請求項４】
Ａは、Ｎである、請求項１に記載の化合物。
【請求項５】
Ｒ1は、Ｃ１−Ｃ２アルキル、Ｃ１−Ｃ２ハロアルキル、Ｃ１−Ｃ２ポリハロアルキル、およびＣ３シクロアルキルから選択される、請求項１〜４のいずれかに記載の化合物。
【請求項６】
Ｒ3は、水素、ハロゲン、Ｃ１−Ｃ３アルキル、Ｃ１−Ｃ３ハロアルキル、およびＣ１−Ｃ３ポリハロアルキルから選択される、請求項１〜５のいずれかに記載の化合物。
【請求項７】
式
【化２】
2014515008.tif 000002
によって表される構造を有する、請求項１に記載の化合物。
【請求項８】
式
【化３】
2014515008.tif 000003
によって表される構造を有する、請求項１に記載の化合物。
【請求項９】
式
【化４】
2014515008.tif 000004
によって表される構造を有する、請求項１に記載の化合物。
【請求項１０】
式
【化５】
2014515008.tif 000005
によって表される構造を有する、請求項１に記載の化合物。
【請求項１１】
式
【化６】
2014515008.tif 000006
によって表される構造を有する化合物、またはその薬学的に許容される塩又は水和物を含む、医薬組成物。
（式中、Ａは、ＣＲ2またはＮであり、
Ｒ1は、Ｃ１−Ｃ３アルキル、Ｃ１−Ｃ３ハロアルキル、Ｃ１−Ｃ３ポリハロアルキル、およびＣ３シクロアルキルから選択され、
Ｒ2は、存在するとき、水素、ハロゲン、ＣＮ、Ｃ１−Ｃ３アルキル、Ｃ１−Ｃ３ハロアルキル、Ｃ１−Ｃ３ポリハロアルキル、およびＣ３シクロアルキルから選択され、
Ｒ3は、水素、ハロゲン、Ｃ１−Ｃ３アルキル、Ｃ１−Ｃ３ハロアルキル、Ｃ１−Ｃ３ポリハロアルキル、およびＣ３シクロアルキルから選択され、
Ｒ4、Ｒ5、およびＲ6のそれぞれは、独立して、水素、ハロゲン、ＣＮ、Ｃ１−Ｃ３アルキル、Ｃ１−Ｃ３ハロアルキル、Ｃ１−Ｃ３ポリハロアルキル、およびＣ３シクロアルキルから選択される。）
【請求項１２】
式
【化７】
2014515008.tif 000007
によって表される構造を有する化合物、またはその薬学的に許容される塩を含む、哺乳動物における代謝型グルタミン酸受容体活性と関連する障害の治療のための医薬組成物。
（式中、Ａは、ＣＲ2またはＮであり、
Ｒ1は、Ｃ１−Ｃ３アルキル、Ｃ１−Ｃ３ハロアルキル、Ｃ１−Ｃ３ポリハロアルキル、およびＣ３シクロアルキルから選択され、
Ｒ2は、存在するとき、水素、ハロゲン、ＣＮ、Ｃ１−Ｃ３アルキル、Ｃ１−Ｃ３ハロアルキル、Ｃ１−Ｃ３ポリハロアルキル、およびＣ３シクロアルキルから選択され、
Ｒ3は、水素、ハロゲン、Ｃ１−Ｃ３アルキル、Ｃ１−Ｃ３ハロアルキル、Ｃ１−Ｃ３ポリハロアルキル、およびＣ３シクロアルキルから選択され、
Ｒ4、Ｒ5、およびＲ6のそれぞれは、独立して、水素、ハロゲン、ＣＮ、Ｃ１−Ｃ３アルキル、Ｃ１−Ｃ３ハロアルキル、Ｃ１−Ｃ３ポリハロアルキル、およびＣ３シクロアルキルから選択される。）
【請求項１３】
前記障害は、グルタミン酸機能不全と関連する神経および／または精神障害である、請求項１２に記載の医薬組成物。
【請求項１４】
前記神経および／または精神障害は、依存症、不安症、脆弱Ｘ症候群、胃食道逆流症（ＧＥＲＤ）、パーキンソン病、および疼痛から選択される、請求項１３に記載の医薬組成物。
【請求項１５】
前記神経および／または精神障害は、感情障害、加齢関連認知低下、アルツハイマー病、健忘障害、筋委縮性側索硬化症、不安障害、アンジェルマン症候群、アスペルガー症候群、注意欠陥多動性障害、双極性障害、脳浮腫、慢性疼痛、精神錯乱、認知症、うつ病、糖尿病、ダウン症候群、ジストニア、摂食障害、てんかん、線維筋痛症、ハンチントン関連舞踏病、レボドパ誘発性ジスキネジア、躁うつ病、偏頭痛、運動障害、多発性硬化症、ナルコレプシー、神経線維腫症１型、神経障害性疼痛、肥満症、疼痛、妄想性障害、パーキンソン病、帯状疱疹後神経障害性疼痛、精神障害、ＰＴＥＮ過誤腫症候群、老年性認知症、睡眠障害、物質関連障害、または単極性うつ病から選択される、請求項１３に記載の医薬組成物。
【請求項１６】
前記障害は、無制御な細胞増殖の疾患である、請求項１２に記載の医薬組成物。
【請求項１７】
式
【化８】
2014515008.tif 000008
によって表される構造を有する化合物、またはその薬学的に許容される塩又は水和物の、哺乳動物における代謝型グルタミン酸受容体活性と関連する障害の治療のための医薬を製造するための使用。
（式中、Ａは、ＣＲ2またはＮであり、
Ｒ1は、Ｃ１−Ｃ３アルキル、Ｃ１−Ｃ３ハロアルキル、Ｃ１−Ｃ３ポリハロアルキル、およびＣ３シクロアルキルから選択され、
Ｒ2は、存在するとき、水素、ハロゲン、ＣＮ、Ｃ１−Ｃ３アルキル、Ｃ１−Ｃ３ハロアルキル、Ｃ１−Ｃ３ポリハロアルキル、およびＣ３シクロアルキルから選択され、
Ｒ3は、水素、ハロゲン、Ｃ１−Ｃ３アルキル、Ｃ１−Ｃ３ハロアルキル、Ｃ１−Ｃ３ポリハロアルキル、およびＣ３シクロアルキルから選択され、
Ｒ4、Ｒ5、およびＲ6のそれぞれは、独立して、水素、ハロゲン、ＣＮ、Ｃ１−Ｃ３アルキル、Ｃ１−Ｃ３ハロアルキル、Ｃ１−Ｃ３ポリハロアルキル、およびＣ３シクロアルキルから選択される。）
【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
下記式により表される４‐（（４‐（（（（１Ｒ，２Ｓ）‐２‐フェニルシクロプロピル）アミノ）メチル）ピペリジン‐１‐イル）メチル）安息香酸である化合物またはその薬理学的に許容可能な塩：
【化１】
2014515013.tif 000001
【請求項２】
下記式により表される４‐（（４‐（（（（１Ｒ，２Ｓ）‐２‐フェニルシクロプロピル）アミノ）メチル）ピペリジン‐１‐イル）メチル）安息香酸である、請求項１に記載の化合物：
【化２】
2014515013.tif 000002
【請求項３】
請求項１に記載の化合物またはその薬理学的に許容可能な塩、および薬理学的に許容可能な賦形剤を含む、医薬組成物。
【請求項４】
請求項２に記載の化合物および薬理学的に許容可能な賦形剤を含む、医薬組成物。
【手続補正書】
【提出日】平成27年3月12日(2015.3.12)
【手続補正１】
【補正対象書類名】特許請求の範囲
【補正対象項目名】全文
【補正方法】変更
【補正の内容】
【特許請求の範囲】
【請求項１】
動物において加齢に伴う疾病を改善するのに有用な組成物であって、
１種又は複数の不飽和脂肪酸（ＵＦＡ）、
１種又は複数の一酸化窒素放出化合物（ＮＯＲＣ）、
１種又は複数の抗糖化剤、及び
初乳
のうちの少なくとも２つの組み合わせを治療有効量含む組成物。
【請求項２】
加齢に伴う疾病が、免疫機能の低下、認知力の低下、筋力の低下、平衡感覚の低下、及び酸化ストレスからなる群から選択される１つ又は複数である、請求項１に記載の組成物。
【請求項３】
ＵＦＡが、天然の魚油、ＡＬＡ、ＥＰＡ、ＤＰＡ、ＤＨＡ、又は任意の供給源由来の別のｎ−３脂肪酸のうちの１つ又は複数を含む、請求項１に記載の組成物。
【請求項４】
約０．１％〜約５０％のＵＦＡを含む、請求項１に記載の組成物。
【請求項５】
ＮＯＲＣが、アルギニン又はその一酸化窒素放出誘導体である、請求項１に記載の組成物。
【請求項６】
約０．１％〜約２０％のＮＯＲＣを含む、請求項１に記載の組成物。
【請求項７】
抗糖化剤が、カルノシン、ベンフォチアミン、ピリドキサミン、α−リポ酸、塩化フェナシルジメチルチアゾリウム、タウリン、アミノグアニジン、レスベラトロール、及びアスピリンからなる群から選択される、請求項１に記載の組成物。
【請求項８】
約０．１％〜約２０％の抗糖化剤を含む、請求項１に記載の組成物。
【請求項９】
約０．１％〜約２０％の初乳を含む、請求項１に記載の組成物。
【請求項１０】
魚油、シトルリン、α−リポ酸、及び初乳のうちの少なくとも２つを含む、請求項１に記載の組成物。
【請求項１１】
魚油と、シトルリンと、α−リポ酸と、初乳とを含む、請求項１に記載の組成物。
【請求項１２】
ヒト用食品組成物、ペット用食品組成物又は栄養補助食品として調合される、請求項１に記載の組成物。
【請求項１３】
約１５％〜約５０％のタンパク質と、約５％〜約４０％の脂肪と、約５％〜約１０％の灰分とをさらに含み、約５％〜約２０％の含水率を有する食品組成物である、請求項１２に記載の組成物。
【請求項１４】
動物において加齢に伴う疾病を改善するための方法であって、
１種又は複数の抗糖化剤、
１種又は複数のＵＦＡ、
１種又は複数のＮＯＲＣ、及び
初乳
のうちの少なくとも２つの組み合わせを治療有効量、動物に投与するステップを含む方法。
【請求項１５】
加齢に伴う疾病が、免疫機能の低下、認知力の低下、筋力の低下、平衡感覚の低下、及び酸化ストレスからなる群から選択される１つ又は複数である、請求項１４に記載の方法。
【請求項１６】
ＵＦＡが、天然の魚油、ＡＬＡ、ＥＰＡ、ＤＰＡ、ＤＨＡ、又は任意の供給源由来の別のｎ−３脂肪酸のうちの１つ又は複数を含む、請求項１４に記載の方法。
【請求項１７】
ＮＯＲＣが、アルギニン、又はその一酸化窒素放出誘導体である、請求項１４に記載の方法。
【請求項１８】
抗糖化剤が、カルノシン、ベンフォチアミン、ピリドキサミン、α−リポ酸、塩化フェナシルジメチルチアゾリウム、タウリン、アミノグアニジン、レスベラトロール、及びアスピリンからなる群から選択される、請求項１４に記載の方法。
【請求項１９】
動物が、魚油、シトルリン、α−リポ酸、及び初乳のうちの少なくとも２つを投与される、請求項１４に記載の方法。
【請求項２０】
動物が、魚油、シトルリン、α−リポ酸、及び初乳を投与される、請求項１４に記載の方法。
【請求項２１】
組み合わせが、ヒト用食品組成物、ペット用食品組成物、又は栄養補助食品として調合される、請求項１４に記載の方法。
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
熱を伝達するための装置であって、
デバイス及び
前記デバイスへ、又は前記デバイスから熱を伝達するための機構を含み、前記機構は、フッ素化オキシランを含む伝熱流体を含む、装置。
【請求項２】
前記フッ素化オキシランが最大で３個までの水素原子を含む、請求項１に記載の熱を伝達するための装置。
【請求項３】
前記デバイスが、マイクロプロセッサー、半導体デバイスを製造するために使用される半導体ウエハ、電力制御半導体、電気化学電池（リチウムイオン電池を含む）、配電スイッチ装置、電力変圧器、回路基板、マルチチップモジュール、パッケージ化された又はパッケージ化されていない半導体デバイス、燃料電池、及びレーザーから選択される、請求項１に記載の熱を伝達するための装置。
【請求項４】
熱を伝達する方法であって、
デバイスを供給すること、並びに、
機構を使用して前記デバイスへ又は前記デバイスから熱を伝達することを含み、前記機構は
伝熱流体を含み、
前記伝熱流体はフッ素化オキシランを含む、方法。
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
少なくとも１種のジエンエラストマーと、補強用充填剤としての無機充填剤と、前記無機充填剤と前記ジエンエラストマー間に結合をもたらすカップリング剤とをベースとし、前記カップリング剤が、下記の式(I)を有するアゾシラン化合物であることを特徴とするタイヤゴム組成物：
(G1)3-a(G2)aSi-Z-NH-C(O)-N=N-C(O)-NH-Z-Si(G1)3-a(G2)a    (I)
(式中、
・G1は、互いに同一かまたは異なるものであって、各々、1〜18個の炭素原子を有する枝分れしたまたは枝分れしていない非置換または置換アルキル、5〜18個の炭素原子を有する非置換または置換のシクロアルキルまたは5〜18個の炭素原子を有する非置換または置換のアリールから選ばれる１価の炭化水素基を示し；
・G2は、互いに同一かまたは異なるものであって、各々、ヒドロキシル基或いは１価の基(G3)n-OG1 (式中、G3は、1〜18個の炭素原子を有し且つO、S、SiおよびNから選ばれる１個以上のヘテロ原子を含む２価の連結基であり、nは0以上且つ18以下の数である)を示し；
・Zは、1〜18個の炭素原子を有する２価の連結基を示し；
・aは、1、2または3に等しい)。
【請求項２】
aが3に等しい、請求項１記載の組成物。
【請求項３】
ZがC1〜C10アルキレンから選ばれ、好ましくは、ZがC1〜C4アルキレンから選ばれる、請求項２記載の組成物。
【請求項４】
nが、1以上である、請求項１記載の組成物。
【請求項５】
G3が、C1〜C12オキシ-アルキレンである、請求項４記載の組成物。
【請求項６】
式(I)の前記アゾシラン化合物が、下記の化合物から選ばれる、請求項２記載の組成物：  (EtO)(RO)2Si-CH2-CH2-CH2-NH-CO-N=N-CO-NH-CH2-CH2-CH2-Si(EtO)(RO)2；
(RO)(EtO)2Si-CH2-CH2-CH2-NH-CO-N=N-CO-NH-CH2-CH2-CH2-Si(RO)(EtO)2；
(式中、Et = エチレンであり、R = C13H27(OCH2CH2)5である)。
【請求項７】
下記の式(II)に相応するシランスルフィド化合物である第２カップリング剤を含む、請求項１〜６のいずれか１項記載の組成物：
(II)
Y1 − Z1 − Sx − Z2 − Y2
[式中、xは、2〜8、好ましくは2〜5の数であり；
Z1およびZ2は、同一または異なるものであって、各々、1〜18個の炭素原子を有する２価の炭化水素基であり；
Y1およびY2は、同一または異なるものであって、各々、下記の式の１つに相応する：
【化１】
2014515050.tif 000001
(式中、R1基は、置換されていないかまたは置換されており、互いに同一かまたは異なるものであって、C1〜C18アルキル、C5〜C18シクロアルキルまたはC6〜C18アリール基を示し；
R2基は、置換されていないかまたは置換されており、互いに同一かまたは異なるものであって、ヒドロキシル、C1〜C18アルコキシルまたはC5〜C18シクロアルコキシル基を示す)]。
【請求項８】
Z1およびZ2が、C1〜C10アルキレン、好ましくはC1〜C4アルキレンからなる群から選ばれる、請求項７記載のゴム組成物。
【請求項９】
R1基が、C1〜C4アルキルから選ばれ、好ましくはメチルを示し、且つR2基が、ヒドロキシルおよびC1〜C4アルコキシルからなる群から、好ましくは、ヒドロキシル、メトキシルおよびエトキシルからなる群から選ばれる、請求項７又は８記載の組成物。
【請求項１０】
ヒドロキシル化または加水分解性シラン、ポリオール、ポリエーテル、エステル、アミン、ヒドロキシル化または加水分解性ポリシロキサンおよびそのような化合物の混合物からなる群から選ばれる被覆剤を含む、請求項１〜９のいずれか１項記載のゴム組成物。
【請求項１１】
請求項１〜１０のいずれか１項記載のゴム組成物を含むタイヤまたは半製品。
【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
（メタ）アクリレート系ブロックコポリマーと、
少なくとも１０重量％のハロゲン不含難燃剤と、を含み、
難燃感圧性接着剤である、接着剤。
【請求項２】
前記（メタ）アクリレート系ブロックコポリマーが、
（メタ）アクリレートを含む第１のモノエチレン系不飽和モノマーからそれぞれ誘導された少なくとも２個のＡエンドブロックポリマー単位（各Ａエンドブロックは少なくとも５０℃のガラス転移温度を有する）と、
（メタ）アクリレート又はビニルエステルを含む第２のモノエチレン系不飽和モノマーから誘導された少なくとも１個のＢミッドブロックポリマー単位（各Ｂミッドブロックは２０℃以下のガラス転移温度を有する）と、
を含むトリブロックコポリマーを含み、前記第１のモノエチレン系不飽和モノマー又は前記第２のモノエチレン系不飽和モノマーのうちの少なくとも１つは、（メタ）アクリレートモノマーを含む、請求項１に記載の接着剤。
【請求項３】
前記難燃感圧性接着剤が、光学的に透明であり、少なくとも９０％の％透過率と、１０％未満の曇度と、約０．１６〜２．０の範囲の黄変度ｂ＊とを有する、請求項１に記載の接着剤。
【請求項４】
前記ハロゲン不含難燃添加剤がリン酸エステルを含む、請求項１に記載の接着剤。
【請求項５】
接着剤を調製する方法であって、
（メタ）アクリレート系ブロックコポリマーを供給することと、
ハロゲン不含難燃剤を供給することと、
前記（メタ）アクリレート系ブロックコポリマーと前記ハロゲン不含難燃剤とをブレンドして感圧性接着剤を形成することと、を含み、
前記ハロゲン不含難燃剤が、接着剤の少なくとも１０重量％を構成する、方法。
【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
タービンエンジン用の単一片部品を拡散接合によって製作する方法にして、
少なくとも１つの金属ワイヤの層を備えるブランク（Ｅ）を心棒（１２）のまわりに作製するステップと、
単一片部品を得るために、ブランクに熱間静水圧圧縮形成を受けさせるステップと、
任意選択で、部品を機械加工するステップとから成る方法であって、
ブランク内の前記少なくとも１つの金属ワイヤの層は、心棒上に係合および積み重ねされた個々の環（１０）から構成されることを特徴とする、方法。
【請求項２】
環（１０）が、円形状と非円形状のうちの一方であることを特徴とする、請求項１に記載の方法。
【請求項３】
環（１０）が、心棒（１２）上に係合される前に円形状と非円形状のうちの一方の形状に予備成形されることを特徴とする、請求項１または２に記載の方法。
【請求項４】
心棒（１２）が、円筒形状と非円筒形状のうちの一方であることを特徴とする、請求項１から３のいずれか一項に記載の方法。
【請求項５】
環が、閉鎖環であることを特徴とする、請求項１から４のいずれか一項に記載の方法。
【請求項６】
環（１０）が、円周のまわりの一箇所で開口している型式であることを特徴とする、請求項１から５のいずれか一項に記載の方法。
【請求項７】
心棒（１２）上に係合される各環（１０）の開口部が、心棒の長手方向軸線のまわりで隣接し合った環の開口部に対して角度的にオフセットされることを特徴とする、請求項６に記載の方法。
【請求項８】
単一片部品が、タービンエンジンの単一片の軸とディスクと羽根環のうちの一方であることを特徴とする、請求項１から７のいずれか一項に記載の方法。
【請求項９】
心棒上の連続した２つの金属ワイヤ層間に金属被覆セラミック繊維（１８）の少なくとも１つの環状層が配置されることを特徴とする、請求項１から８のいずれか一項に記載の方法。
【請求項１０】
環（１０）が、心棒（１２）の一方の端部に心棒と同じ軸線上で位置決めされることによって、長手方向軸線（Ａ）と平行に心棒に沿って並進移動されることによって心棒上に係合されることを特徴とする、請求項１から９のいずれか一項に記載の方法。
【請求項１１】
ブランクを作製するステップが、同軸の重ね合わされた複数の環状層を作製することを備えることと、
金属ワイヤの各層は、心棒上に係合および積み重ねされた個々の環から構成されることとを特徴とする、請求項１から１０のいずれか一項に記載の方法。
【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
排気ガスを流下する少なくとも１のダクトと、
加熱側が排気ガスに直接的に接触する一方で、冷却側が熱伝達媒体によって冷却されるように配置された少なくとも１の熱電モジュールと、を備え、
少なくとも１の該熱電モジュールは、少なくとも１の熱電モジュールの冷却側の少なくとも１のダクトに気密的に組み込まれていることを特徴とする、集積された熱電発電機を有する内燃エンジン用の排気トレイン。
【請求項２】
少なくとも１の前記熱電モジュールは、ｐ型及びｎ型の脚を備え、
該脚は電気的に直列かつ熱的に並列に接続され、
接触手段は、熱電モジュールの加熱側の支持プレート及び冷却側の支持プレートに対して支持され、
排気ガス流は、熱電モジュールの加熱側の支持プレートに直接的に衝突することを特徴とする請求項１に記載の排気トレイン。
【請求項３】
排気ガスを流下する少なくとも１の前記ダクトは、ほぼ平坦な側壁を有する矩形または台形の横断面を有し、１以上の平坦な側壁に熱電発電機が設けられることを特徴とする請求項１または２に記載の排気トレイン。
【請求項４】
前記熱電モジュールは、ダクトの対向する側壁に集積されることを特徴とする請求項３に記載の排気トレイン。
【請求項５】
少なくとも１以上の前記ダクトは、少なくとも１の熱電モジュールへの排気ガス流の近接を改善する継手を有することを特徴とする請求項１〜４のいずれか１項に記載の排気トレイン。
【請求項６】
複数の前記熱電モジュールは、互いに前後して及び／または互いに隣接して熱電発電機の１の平面上に配置されることを特徴とする請求項１〜５のいずれか１項に記載の排気トレイン。
【請求項７】
自動車両に搭載されることを特徴とする請求項１〜６のいずれか１項に記載の排気トレイン。
【手続補正書】
【提出日】平成27年4月10日(2015.4.10)
【手続補正１】
【補正対象書類名】特許請求の範囲
【補正対象項目名】全文
【補正方法】変更
【補正の内容】
【特許請求の範囲】
【請求項１】
高温ガスが向けられる入口と前記のガスが排出される出口とを有するハウジングであって、これにより前記ガスは前記ハウジングを通って前記入口から前記出口へ流れる、ハウジングと；
前記ガスが通って流れるように前記ハウジングの中に位置する節約装置であって、該節約装置は、基本的に液相にある給水の源に接続されて前記給水の温度を上昇させる、節約装置と；
最初に液相にある水を飽和蒸気に変える蒸発器であって：水平に向けられた上位ドラムと；水平に向けられ、前記上位ドラムより低い高さに位置する少なくとも１つの下位ドラムと；前記上位ドラムの下側部分を前記下位ドラムに接続するドレン管路と；前記のドラムのうちの１つに通じる入口ラインと；前記上位ドラムの上側部分からつながる出口ラインと；高温ガスの流れの中に位置し、入口及び出口を備える管を有するコイルであって、前記管の前記入口は前記下位ドラムと連通し、前記管の前記出口は前記上位ドラムと連通する、コイルと；を含み、前記コイルは、前記ハウジングにおいて前記のガスの流れの中で前記節約装置から上流に位置し、前記蒸発器の前記入口ラインは、前記節約装置における加熱を経た水を前記節約装置から受け取るように前記節約装置に接続される、蒸発器と；
前記ハウジングにおいて前記ガスの流れの中で前記蒸発器から上流に位置する過熱器であって、前記蒸発器の前記出口ラインは、前記過熱器がもっぱら前記蒸発器からの飽和蒸気を過熱蒸気に変えるように、前記過熱器に接続される、過熱器と；
を含む排熱回収蒸気発生器。
【請求項２】
前記蒸発器のコイルの管は、前記下位ドラムと前記下位ドラムの底部において連通する、請求項１に記載の排熱回収蒸気発生器。
【請求項３】
前記蒸発器のコイルの管は、前記上位ドラムと前記上位ドラムの底部において連通する、請求項２に記載の排熱回収蒸気発生器。
【請求項４】
前記蒸発器の管は垂直に伸び、その下端に入口を有し、前記下位ドラムを前記管の前記入口と接続する降水管、をさらに含む請求項３に記載の排熱回収蒸気発生器。
【請求項５】
前記蒸発器の管の出口が前記管の上端にあり、前記管の前記出口を前記上位ドラムと接続する少なくとも１つの昇水管、をさらに含む請求項４に記載の排熱回収蒸気発生器。
【請求項６】
前記蒸発器の入口ラインは前記下位ドラムに通じる、請求項３に記載の排熱回収蒸気発生器。
【請求項７】
前記蒸発器のドレン管路は前記下位ドラムの下側部分に通じる、請求項３に記載の排熱回収蒸気発生器。
【請求項８】
前記蒸発器のドラムのうちの少なくとも１つが円筒状である、請求項１に記載の排熱回収蒸気発生器。
【請求項９】
前記の上位及び下位の蒸発器のドラムは円筒状である、請求項１に記載の排熱回収蒸気発生器。
【請求項１０】
排熱回収蒸気発生器において水を飽和蒸気に変える方法であって：
高温ガスが向けられる入口と前記のガスが排出される出口とを有するハウジングであって、これにより前記ガスは前記ハウジングを通って前記入口から前記出口へ流れる、ハウジングと；
前記ガスが通って流れるように前記ハウジングの中に位置する節約装置であって、該節約装置は、基本的に液相にある給水の源に接続されて前記給水の温度を上昇させる、節約装置と；
最初に液相にある水を飽和蒸気に変える蒸発器であって：水平に向けられた上位ドラムと；水平に向けられ、前記上位ドラムより低い高さに位置する少なくとも１つの下位ドラムと；前記上位ドラムの下側部分を前記下位ドラムに接続するドレン管路と；前記のドラムのうちの１つに通じる入口ラインと；前記上位ドラムの上側部分からつながる出口ラインと；高温ガスの流れの中に位置し、入口及び出口を備える管を有するコイルであって、前記管の前記入口は前記下位ドラムと連通し、前記管の前記出口は前記上位ドラムと連通する、コイルと；を含み、前記コイルは、前記ハウジングにおいて前記のガスの流れの中で前記節約装置から上流に位置し、前記蒸発器の前記入口ラインは、前記節約装置における加熱を経た水を前記節約装置から受け取るように前記節約装置に接続される、蒸発器と；
前記ハウジングにおいて前記ガスの流れの中で前記蒸発器から上流に位置する過熱器であって、前記蒸発器の前記出口ラインは、前記過熱器がもっぱら前記蒸発器からの飽和蒸気を過熱蒸気に変えるように、前記過熱器に接続される、過熱器と；
を含む排熱回収蒸気発生器を備えるステップ；
を含み、
最初に液相にある水の流れを、２つの水平な蒸気ドラムのうちの１つに取り込むステップであって、前記２つの水平な蒸気ドラムのうちの一方が他方より上位に位置し、その下側部分において下位蒸気ドラムと連通し、したがって、前記下位蒸気ドラムは液相にある水を含む、ステップと；
前記下位蒸気ドラムからの水の流れを、前記水を飽和水及び飽和蒸気に変えるのに十分なほど加熱するステップと；
前記飽和水及び飽和蒸気を前記の上位蒸気ドラムに向けるステップと；
前記上位蒸気ドラムの中の前記飽和水を前記下位蒸気ドラムに向けて戻すステップと；
前記飽和蒸気を前記上位蒸気ドラムから取り出すステップと；
をさらに含む方法。
【請求項１１】
前記加熱するステップは、高温ガスが横切って流れるコイルにおいて生じる、請求項１０に記載の方法。
【請求項１２】
前記蒸気ドラムは伸ばされ、水平である長手方向の軸を有する、請求項１０に記載の方法。
【請求項１３】
前記蒸気ドラムは円筒状である、請求項１２に記載の方法。
【請求項１４】
前記水は、加熱されるとき、飽和水及び飽和蒸気に変わり、自然循環によって流れる、請求項１２に記載の方法。
【手続補正２】
【補正対象書類名】明細書
【補正対象項目名】０００２
【補正方法】変更
【補正の内容】
【０００２】
発電機に動力を供給するガスタービンが、非常に高温の排ガスを排出する。排熱回収蒸気発生器（ＨＲＳＧ）が、そのガスから熱を抽出して、蒸気タービンに動力を供給する蒸気を生成し、その蒸気タービンはより多くの発電機を順に動作させる。
【手続補正３】
【補正対象書類名】明細書
【補正対象項目名】０００９
【補正方法】変更
【補正の内容】
【０００９】
ここで図面（図１）を参照すると、排熱回収蒸気発生器（ＨＲＳＧ）Ａが構成要素を有し、その構成要素は基本的には熱交換器であり、その熱交換器は低圧及び高圧で過熱蒸気を供給するダクト状のハウジング２とつながるように構成される。ハウジング２は入口４及び出口６を有する。高温ガスが、入口４においてハウジング２に入り、ハウジング２の中で、ガスから熱を抽出するいくつかの構成要素の間を流れ、液状の給水を低圧及び高圧の過熱蒸気に変える。その高温ガスは、ガスタービンからの排出ガスであってよい。
【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
一体型のシステムであって、
圧縮再循環流の存在下において１種類又は２種類以上の酸化剤及び１種類又は２種類以上の燃料を燃焼させるよう構成された燃焼チャンバを有し、前記燃焼チャンバは第１の放出物流を膨張機に差し向けてガス状排出物流を生じさせると共に主圧縮機を少なくとも部分的に駆動するガスタービンシステムと、
排ガス再循環システムと、を備え、
前記主圧縮機は、前記ガス状排出物流を圧縮し、それにより圧縮された再循環流を生じさせ、
前記排ガス再循環システムは、前記ガス状排出物流を受け入れてこれを冷却するよう構成された第１の冷却ユニットと、前記ガス状排出物流の圧力を受け入れてこれを増大させるよう構成された少なくとも１つのブロワと、前記ガス状排出物流をさらに冷却し冷却された再循環ガスを前記主圧縮機に出力するように構成された第２の冷却ユニットと、を備えている、
ことを特徴とするシステム。
【請求項２】
前記第１の冷却ユニットは、第１の排熱回収蒸気発生器（ＨＲＳＧ）である、
請求項１記載のシステム。
【請求項３】
前記第２の冷却ユニットは、前記少なくとも１つのブロワからの前記ガス状排出物流を受け入れるように構成されている、
請求項１記載のシステム。
【請求項４】
前記第１の排熱回収蒸気発生器が、更に、冷却水コイルを備えている、
請求項２または３記載のシステム。
【請求項５】
前記第２の冷却ユニットが、第２の排熱回収蒸気発生器（ＨＲＳＧ）を備えている、
請求項１ないし４のいずれか１項に記載のシステム。
【請求項６】
前記第２の排熱回収蒸気発生器が、冷却水コイルを備えている、
請求項５記載のシステム。
【請求項７】
前記ガス状排出物流から水滴を除去するよう構成された分離器を更に備え、
好ましくは、該分離器が、少なくとも１つのベーンパック、メッシュパッド、または他の曇り止め装置を備えている、
請求項１ないし６のいずれか１項に記載のシステム。
【請求項８】
前記排ガス再循環システムは、前記少なくとも１つのブロアからの前記ガス状排出物流を受け入れ前記第２の冷却ユニットへの導入前に前記ガス状排出物流をさらに冷却するよう構成された第３の冷却ユニットを更に備えている、
請求項１ないし７のいずれか１項に記載のシステム。
【請求項９】
前記第２の冷却ユニットは、直接接触型冷却器（ＤＣＣ）区間を備えている、
請求項３記載のシステム。
【請求項１０】
前記排ガス再循環システムは、冷却された再循環ガスを脱水するように構成されたグリコール脱水システムを備えている、
請求項１記載のシステム。
【請求項１１】
前記排ガス再循環システムは、前記第２の冷却ユニットを横切って設けられ、前記冷却された再循環ガスの温度を調節して前記冷却された再循環ガスの所定露点マージンを達成するように構成された供給物／流出物交差型熱交換器を更に備え、
好ましくは、前記冷却再循環ガスの前記露点マージンは、少なくとも約１５°Ｆ（８．２℃）である、
請求項１記載のシステム。
【請求項１２】
前記燃焼チャンバは、圧縮再循環流及び高圧流冷却剤流の存在下において１種類又は２種類以上の酸化剤及び１種類又は２種類以上の燃料を燃焼させるよう構成されている、
請求項１記載のシステム。
【請求項１３】
動力を発生させる方法であって、
圧縮再循環排ガスの存在下で少なくとも１種類の酸化剤及び少なくとも１種類の燃料を燃焼チャンバ内で燃焼させ、それにより放出物流を発生させるステップと、
前記排出物流を膨張機内で膨張させて主圧縮機を少なくとも部分的に駆動し、ガス状排出物流を生じさせるステップと、
前記ガス状排出物流を排ガス再循環システムに差し向けるステップと、を備え、前記主圧縮機は、前記ガス状排出物流を圧縮し、それにより圧縮された再循環流を生じさせ、
前記排ガス再循環システムは、第１の冷却ユニットと少なくとも１つのブロワと第２の冷却ユニットとを備え、前記ガス状排出物流を前記第１の冷却ユニット内で冷却し、前記ガス状排出物流の圧力を前記少なくとも１つのブロワ内で増大させ、前記ガス状排出物流は前記第２の冷却ユニット内で更に冷却され、それにより前記主圧縮機に差し向けられる冷却状態の再循環ガスを生じさせる、
ことを特徴とする方法。
【請求項１４】
前記第１の冷却ユニットは、第１の排熱回収蒸気発生器（ＨＲＳＧ）である、
請求項１３記載の方法。
【請求項１５】
前記第２の冷却ユニットは、前記少なくとも１つのブロワからの前記ガス状排出物流を受け入れる、
請求項１３記載の方法。
【請求項１６】
前記第１の排熱回収蒸気発生器は、冷却水コイルを備えている、
請求項１４または１５に記載の方法。
【請求項１７】
前記第２の冷却ユニットは、第２の排熱回収蒸気発生器（ＨＲＳＧ）を備えている、
請求項１３ないし１６のいずれか１項に記載の方法。
【請求項１８】
前記第２の排熱回収蒸気発生器は、冷却水コイルを備えている、
請求項１７に記載の方法。
【請求項１９】
前記排ガス再循環システムは、前記ガス状排出物流から水滴を除去するよう構成された分離器を更に備え、
好ましくは、前記分離器が少なくとも１つのベーンパック、メッシュパッドまたは他の曇り止め装置を備えている、
請求項１３ないし１８のいずれか１項に記載の方法。
【請求項２０】
前記第２の冷却ユニットは、直接接触型冷却器（ＤＣＣ）区間を備えている、
請求項１５に記載の方法。
【請求項２１】
前記排ガス再循環システムは、冷却された再循環ガスを脱水するグリコール脱水システムを備えている、
請求項１３記載の方法。
【請求項２２】
前記第２の冷却ユニットを横切って設けられた供給物／流出物交差型熱交換器内での冷却された再循環ガスの温度を調節することによって、少なくとも約１５°Ｆ（８．２℃）の露点マージンが冷却された再循環ガス内で達成される、
請求項１３記載の方法。
【請求項２３】
前記少なくとも１種類の酸化剤及び前記少なくとも１種類の燃料を前記圧縮再循環排ガス及び高圧流の存在下で前記燃焼チャンバ内で燃焼させる、
請求項１３記載の方法。
【請求項２４】
前記少なくとも１種類の酸化剤及び前記少なくとも１種類の燃料を実質的に化学量論的に燃焼させるステップをさらに備えている、
請求項１３記載の方法。
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
乳児が着用する衣服をデザインする方法であって、前記衣服が、乳児の身体を受け入れるように構成され、前記衣服が、複数の表面を有し、前記衣服が、意識的な動きで表面に近づくのにも表面を掴むのにもまだ十分に運動能力が発達していない乳児に触覚刺激を与えるものであり、前記方法が、
前記複数の表面から、触覚刺激表面として機能する少なくとも１つの表面を選択するステップであって、当該表面は、前記衣服が乳児の身体を受け入れたときに、前記衣服を着用している運動能力が未発達の乳児の手、舌、頬、歯または唇により、意識的または無意識的な動きで到達可能と認められる前記衣服上の位置に配置される、ステップと、
前記少なくとも１つの表面の質感を選択するステップであって、当該選択された質感が、前記複数の表面のうちの他の少なくとも１つの質感と異なり、前記選択された質感が触覚感覚器に触覚刺激を与えるように構成されている、ステップと、を含むことを特徴とする方法。
【請求項２】
請求項１に記載の方法がさらに、前記複数の表面のうちの他の少なくとも１つを製造するための第１の材料を選択するステップと、前記少なくとも１つの表面を製造するための前記第１の材料と異なる第２の材料を選択するステップとを含むことを特徴とする方法。
【請求項３】
請求項１または２に記載の方法がさらに、前記衣服の意図された使用の間、前記触覚刺激表面が前記触覚感覚器によって容易に到達可能となるように、前記複数の表面のうちの他の少なくとも１つに対して前記触覚刺激表面の位置を選択するステップを含むことを特徴とする方法。
【請求項４】
請求項３に記載の方法において、前記衣服が乳児用衣服であり、前記位置が、前記衣服を着た乳児の無意識の動きおよび反射により到達可能となるように選択されることを特徴とする方法。
【請求項５】
請求項１に記載の方法において、前記触覚刺激表面が、意図された通りに着用されたとき、前記衣服の内側表面であり、前記位置が、前記衣服が意図された通りに着用されたときに前記衣服の着用者にとって到達可能であるように選択されることを特徴とする方法。
【請求項６】
請求項１乃至５のいずれか１項に記載の方法において、前記少なくとも１つの表面が、繰返し取り外せるように前記複数の表面の少なくとも１つに取り付けられることを特徴とする方法。
【請求項７】
請求項１乃至６のいずれか１項に記載の方法において、前記触覚刺激表面と一体化するために、においまたは視覚刺激要素を選択するステップを含むことを特徴とする方法。
【請求項８】
請求項６に記載の方法において、前記少なくとも１つの表面がキットで提供されることを特徴とする方法。
【請求項９】
請求項８に記載の方法において、前記少なくとも１つの表面が、においまたは視覚刺激要素とともに提供されることを特徴とする方法。
【請求項１０】
乳児が着用する衣服と注記との組合せであって、前記衣服が、乳児の身体を受け入れるように構成され、前記衣服が、意識的な動きで表面に近づくのにも表面を掴むのにもまだ十分に運動能力が発達していない乳児に触覚刺激を与えるものであり、
前記衣服が、
（ａ）複数の表面と、
（ｂ）前記複数の表面の少なくとも大部分の質感と異なる質感を有し、かつ触覚感覚器に触覚刺激を与えるように構成された触覚刺激表面とを含み、当該表面が、前記衣服を着用している運動能力が未発達の乳児の手、舌、頬、歯または唇により、意識的または無意識的な動きで到達可能であり、
前記注記が前記触覚刺激に関する情報を含む
ことを特徴とする組合せ。
【請求項１１】
請求項１０に記載の組合せにおいて、前記触覚刺激表面を、前記複数の表面の少なくとも１つに取り外し可能に取り付けるための結合手段を含み、当該結合手段が前記触覚刺激表面を繰返し着脱するように構成され、前記衣服がさらに、前記複数の表面の少なくとも１つの上に、前記触覚刺激表面を上に取り付けることができる少なくとも１つの位置を示すためのマーキングを含み、ここで前記位置が、前記衣服の意図された使用の間、触覚感覚器によって容易に到達可能であることを特徴とする組合せ。
【請求項１２】
請求項１０または１１に記載の組合せにおいて、前記注記が、前記衣服またはそのパッケージに取り付けられたラベル、前記衣服上の表示、の少なくとも１つの形態であることを特徴とする組合せ。
【請求項１３】
キットおよび注記の組合せであって、
前記キットは乳児が着用する衣服を製造するためのものであり、当該衣服が、乳児の身体を受け入れるように構成され、前記衣服が、複数の表面を有し、前記衣服が、意識的な動きで表面に近づくのにも表面を掴むのにもまだ十分に運動能力が発達していない乳児に触覚刺激を与えるものであり、
前記キットが、触覚感覚器に触覚刺激を与えるための質感を有する少なくとも１つの触覚刺激要素と、取付装置とを含み、当該取付装置は、前記衣服が乳児の身体を受け入れたときに、前記衣服を着用している運動能力がまだ未発達の乳児の手、舌、頬、歯または唇により、意識的または無意識的な動きで到達可能と認められる位置に前記表面を取り付け、かつ前記取付装置は、前記要素を、前記触覚刺激以外の意図された用途を有する前記衣服の表面に取り付けるためのものであり、
前記注記が前記接触刺激に関する表示を含む
ことを特徴とする組合せ。
【請求項１４】
請求項１３に記載の組合せにおいて、 前記キットが互いに異なる質感を有する複数の触覚刺激要素を含むことを特徴とする組合せ。
【請求項１５】
請求項１３または１４に記載の組合せにおいて、前記取付装置が、前記触覚刺激要素を前記衣服の表面に取り外し可能に取り付けられるように構成されることを特徴とする組合せ。
【請求項１６】
請求項１３乃至１５のいずれか１項に記載の組合せにおいて、前記取付装置が、前記触覚刺激要素を繰り返し着脱するように構成されることを特徴とする組合せ。
【請求項１７】
請求項１３乃至１６のいずれか１項に記載の組合せにおいて、前記触覚刺激要素に、においまたは視覚刺激要素がさらに提供されることを特徴とする組合せ。
【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
用量有効期間中に男性のテストステロン血中レベルに許容されないスパイクを生じずに男性テストステロン欠乏症を治療するために男性にテストステロン補充を提供するために、鼻腔投与後少なくとも約６時間にわたってテストステロンを放出制御するよう鼻腔中に局所投与するための鼻腔内テストステロンゲルであって、
（ａ）男性テストステロン欠乏症を治療するために有効な量のテストステロンと、
（ｂ）少なくとも１種の親油性または部分的に親油性の担体と、
（ｃ）前記鼻腔内テストステロンゲル中のテストステロン溶解度を上昇させるための超溶媒と、
（ｄ）前記鼻腔内テストステロンゲルからの前記テストステロンの放出を制御するために有効な量の粘度調節剤と、
を含み、界面活性剤を必要としない、鼻腔内テストステロンゲル。
【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
ニューモリシンおよびポリヒスチジントライアド(Polyhistidine Triad)ファミリーのメンバーから選択された、少なくとも1種の非コンジュゲート化ストレプトコッカス・ニューモニエ(Streptococcus pneumoniae)タンパク質；ならびにリポソームの形態で提示される、QS21、モノホスホリルリピドA(MPL)、ジオレオイルホスファチジルコリン(DOPC)およびステロールを含むアジュバント、を含有する免疫原性組成物。
【請求項２】
ストレプトコッカス・ニューモニエタンパク質：モノホスホリルリピドA(MPL)の比が0.05：1から3：1(w/w)である、請求項1記載の免疫原性組成物。
【請求項３】
ストレプトコッカス・ニューモニエタンパク質：QS21の比が0.05：1から3：1(w/w)である、請求項1または2記載の免疫原性組成物。
【請求項４】
5〜60、45〜55、5〜20、または20〜30μgのモノホスホリルリピドA(MPL)を含有する、請求項1〜3のいずれか一項記載の免疫原性組成物。
【請求項５】
5〜60、45〜55、5〜20、または20〜30μgのQS21を含有する、請求項1〜4のいずれか一項記載の免疫原性組成物。
【請求項６】
0.1〜10mg、0.2〜7、0.3〜5、0.4〜2、または0.5〜1mgのジオレオイルホスファチジルコリン(DOPC)を含有する、請求項1〜5のいずれか一項記載の免疫原性組成物。
【請求項７】
0.025〜2.5、0.05〜1.5、0.075〜0.75、0.1〜0.3、または0.125〜0.25mgのステロールを含有する、請求項1〜6のいずれか一項記載の免疫原性組成物。
【請求項８】
IL-17産生を刺激することが可能である、請求項1〜7のいずれか一項記載の免疫原性組成物。
【請求項９】
ヒト用量あたり3〜90、3〜20、20〜40、または40〜70μgの非コンジュゲート化肺炎球菌ニューモリシンを含有する、請求項1〜8のいずれか一項記載の免疫原性組成物。
【請求項１０】
ヒト用量あたり3〜90、3〜20、20〜40、または40〜70μgの非コンジュゲート化PhtDを含有する、請求項1〜9のいずれか一項記載の免疫原性組成物。
【請求項１１】
1種以上のS.ニューモニエ莢膜糖類を含有する、請求項1〜10のいずれか一項記載の免疫原性組成物。
【請求項１２】
投与量が0.4〜1.5mlである、請求項1〜11のいずれか一項記載の免疫原性組成物。
【請求項１３】
請求項1〜12のいずれか一項記載の免疫原性組成物を含むワクチン。
【請求項１４】
ストレプトコッカス・ニューモニエ感染によって引き起こされる疾患の治療または予防に使用するための請求項1〜12のいずれか一項記載の免疫原性組成物。
【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
（ａ）第１担体とその上に配された三元触媒を含む第１成分であって、第２担体とその上に配されたアンモニア酸化触媒を含む第２成分の上流に該第２成分と流体連通して配された第１成分を含み、該アンモニア酸化触媒が少なくとも１種の遷移金属を担持する小細孔モレキュラーシーブを含む第１触媒層を有し、該第１触媒層は、ルテニウム（Ｒｕ）、ロジウム（Ｒｈ）、パラジウム（Ｐｄ）、レニウム（Ｒｅ）、イリジウム（Ｉｒ）、および白金（Ｐｔ）を除く、
（ｂ）前記第１成分と第２成分との間に配された酸素含有ガスのインプットを含む、
アンモニア（ＮＨ３）排出を減少させる系。
【請求項２】
（ｃ）リッチバーン燃焼過程に由来する排気ガスを含み、第１成分の上流にあり、該第１成分と流体連通する、第１のガス供給流と、
（ｄ）第１成分と第２成分との間に第１成分と第２成分とに流体連通して配され、該酸素含有ガスのインプットと流体連通している導管
をさらに含む、請求項１に記載の系。
【請求項３】
前記酸素含有ガスのインプットが、第２のガス供給流を含む、請求項２に記載の系。
【請求項４】
前記小細孔モレキュラーシーブが、アルミノケイ酸塩モレキュラーシーブ、金属置換アルミノケイ酸塩モレキュラーシーブ、アルミノリン酸塩（ＡｌＰＯ）モレキュラーシーブ、金属置換アルミノリン酸塩（ＭｅＡｌＰＯ）モレキュラーシーブ、シリコ−アルミノリン酸塩（ＳＡＰＯ）モレキュラーシーブ、および金属置換シリコ−アルミノリン酸塩（ＭｅＡＰＳＯ）モレキュラーシーブ、並びにこれらの混合物からなる群から選択される、請求項１に記載の系。
【請求項５】
前記小細孔モレキュラーシーブが、ＣＨＡ、ＬＥＶ、ＥＲＩ、ＡＥＩ、ＵＦＩ、およびＤＤＲ、並びにこれらの混合物および／または連晶からなるフレームワークタイプの群から選択される、請求項１に記載の系。
【請求項６】
前記少なくとも１種の遷移金属が、クロム（Ｃｒ）、セリウム（Ｃｅ）、マンガン（Ｍｎ）、鉄（Ｆｅ）、コバルト（Ｃｏ）、ニッケル（Ｎｉ）、および銅（Ｃｕ）、並びにこれらの混合物からなる群から選択される、請求項１に記載の系。
【請求項７】
前記アンモニア酸化触媒が、白金族金属を含む第２触媒層をさらに含み、前記第１触媒層が該第２触媒層に対して、排気が、該第２触媒層に接触する前に、該第１触媒層に接触するように配される、請求項１に記載の系。
【請求項８】
酸素含有ガスを、ＮＨ３を含みラムダ＜１であるガス流に導入し、酸素化ガス流を提供するステップと、
前記酸素化ガス流を、少なくとも１種の遷移金属を担持する少なくとも１つの小細孔モレキュラーシーブを含むＮＨ３酸化触媒に曝露し、ＮＨ３の少なくとも一部をＮ２に選択的に酸化するステップを含み、該少なくとも１種の遷移金属は、ルテニウム（Ｒｕ）、ロジウム（Ｒｈ）、パラジウム（Ｐｄ）、レニウム（Ｒｅ）、イリジウム（Ｉｒ）、および白金（Ｐｔ）を除く、
アンモニア（ＮＨ３）排出を減少させる方法。
【請求項９】
酸素含有ガス導入ステップの上流に、
リッチバーン排ガスを、窒素酸化物（ＮＯＸ）、炭化水素（ＨＣ）および一酸化炭素（ＣＯ）を変換するための三元触媒に曝露し、ＮＨ３を含みラムダ＜１であるガス流を生成するステップ
をさらに含む、請求項８に記載の方法。
【請求項１０】
前記酸素含有ガスを導入し、約２：１から約１：１のＯ２：ＮＨ３比を有する酸素化ガス流を生成する、請求項８に記載の方法。
【請求項１１】
（ａ）（ｉ）細孔を画定し、原子位置を有するフレームワークを含む小細孔モレキュラーシーブ、および（ｉｉ）少なくとも１つの前記原子位置に配置された原子形態であり、少なくとも１つの前記細孔に自由に存在する酸化物形態である少なくとも１種の遷移金属を含む第１触媒層を有する触媒組成物であって、該第１触媒層は、ルテニウム（Ｒｕ）、ロジウム（Ｒｈ）、パラジウム（Ｐｄ）、レニウム（Ｒｅ）、イリジウム（Ｉｒ）、および白金（Ｐｔ）を除く、
（ｂ）前記触媒が配置された担体
を含む、触媒体であって、
リッチバーン排ガスの触媒変換により発生したアンモニアを酸化するように適合される、
触媒体。
【請求項１２】
前記触媒組成物が白金族金属を含む第２触媒層をさらに含み、前記第１触媒層が該第２触媒層上に配される、請求項１１に記載の触媒。